(57)【要約】【課題】ミーティングや会議に出席した人の発言を促して議論を活発化できる椅子を提供する。【解決手段】椅子の背もたれ２に、拡聴具５が取り付けられている。拡聴具５は、着座した人の頭を左右と後ろから囲う壁部６，７と、頭を上から部分的に覆うアッパ部８とを有している。着座した人が反した声は拡聴具５の内部に回り込んで、反射作用によって着座した人に大きく聞こえる。また、周辺に存在する雑音・騒音（暗騒音）が着座した人の耳に入ることが、拡聴具５で遮断される。その結果、着座した人は自分を声を明確（クリアー）に聞こえる。自分の声が明確かつ大きく聞こえることにより、着座した人の発言意欲が刺激されて、アイデアや意見を積極的に発言するに至り、その結果、議論を活発化・深化させて知的生産性を高めることができる。【選択図】図１
2018094179.tif 000002
【特許請求の範囲】
【請求項１】
椅子、又は椅子と一緒に使用される他の家具であって、
着座した人の声を当該着座した人の耳に拡大して伝える非電気式の拡聴具を設けている、
椅子又は他の家具。
【請求項２】
前記拡聴具は、着座した人の頭を左右両側と後ろからぐるりと囲う壁部と、着座した人の頭の上側に位置したアッパ部とを有しており、前記拡聴具を、背もたれ又はヘッドレスト若しくはハンガーに取り付けている、
請求項１に記載した椅子。
【請求項３】
前記壁部の左右内側面に吸音材を配置している、
請求項２に記載した椅子。
【請求項４】
前記アッパ部は、左右に分離していて前記壁部の左右側部の上端から庇状に張り出している、
請求項３に記載した椅子。
【請求項５】
椅子に着座した人の声を当該着座した人の耳に拡大して伝える非電気式の拡聴具であり、
着座した人の声を反射させて当該着座した人の耳に伝える壁部と、前記椅子の背もたれに直接に又は他の部材を介して取り付く取り付け部とを有している、
椅子用拡聴具。
【発明の詳細な説明】
【技術分野】
【０００１】
本願発明は、椅子、又は椅子と一緒に使用される家具に関するものである。
【背景技術】
【０００２】
オフィス等では、ミーティングや会議、商談などの様々の会話がなされており、人は、自ら話したり他人の話し（声）を聞いたりしてミーティング等が進行していく。ここで問題は、ミーティング等の成果であり、ミーティング等で高い成果を上げるには、各出席者が積極的に発言して議論を活発化し深めることが重要である。
【０００３】
しかし、人の性格は千差万別であり、折角優れたアイデアや意見を持ちながら発言せずに埋もれさせてしまう引っ込み思案の人もいる。従って、ミーティングや会議などでは、各出席者が持っている優れたアイデアや意見を積極的に引き出す方策が必要であるが、このような方策は議長やリーダーの議事進行能力に依存しているのが普通であり、家具を活用して出席者の発言を促進させるというようなハード面からのアプローチは成されていない。
【０００４】
なお、オフィス家具と音との関係自体は従来から検討課題とされており、その例として、例えば特許文献１，２には、椅子に、着座した人の耳に後ろから音が入ることを抑制する遮音部材を設けることが開示されている。これは、執務に集中できる静かな環境を作ることを目的としており、ミーティングや会議などでの出席者の発言を促進させるようなものではない。
【０００５】
特許文献１，２とは逆に、人の後ろから聞こえる音（声）を積極的に耳に取り込むことも検討されており、特許文献３には、人の頭に装着するヘッドバンドに、後ろからの音を反射させて耳に入れる音響反射板を設けることが開示されている。
【０００６】
さて、ミーティングなどの活発化に関連した興味深い研究成果として非特許文献１がある。この非特許文献１には、ミーティング等の会話において、人は自らの声が反射音として耳に増幅して入ると「話しやすさ」のレベルが向上し、結果としてコミュニケーション性が高まるということが記載されている。「話しやすさ」は少し不明確な概念であるが、議論・会話に積極的に加わるように意識が向いて、口を開いて話しをすることを快く思う心理状態を意味していると解される。
【０００７】
非特許文献１は、自らの声が明確にかつ大きく聞こえることで「話しやすくなる」という心理的メカニズムの解明には至っていないが、自らの声が大きく聞こえることにより、発言したいという潜在的意識（発言意欲）が刺激されて（激励されて、後押しされて）、積極的に発言しようというインセンティブが高まって声を出すことに繋がるものと推測される。
【先行技術文献】
【特許文献】
【０００８】
【特許文献１】特開２０１６−８６８３２号公報
【特許文献２】特開２０１６−８６８３９号公報
【特許文献３】実開平５−４５７９９のＣＤ−ＲＯＭ
【非特許文献】
【０００９】
【非特許文献１】平成２８年８月５日に神奈川大学で開催された日本音響学会建築音響研究会における発表論文「清水寧、日根野翔太「自己発話における「話しやすさ」の音響的評価に関する研究」
【発明の概要】
【発明が解決しようとする課題】
【００１０】
非特許文献１では、被験者がヘッドホンを装着して実験しているが、オフィス等においてヘッドホンを装着してミーティングや会議などを行うことは不可能である。そこで、特許文献３のアイデアを利用して、人が反射板を装着することが考えられるが、この方法は、人の動きへの追従性には優れているものの、着脱に手間がかかる問題や、装着することに抵抗感をもつ場合は逆効果になるという問題、或いは、同席者に対して非常な違和感を与えるといった問題があり、現実的ではない。
【００１１】
本願発明は、このような現状を改善すべく成されたものである。
【課題を解決するための手段】
【００１２】
本願発明の典型は、各請求項で特定されている。このうち請求項１の発明は、椅子、又は椅子と一緒に使用される他の家具において、着座した人の声を当該着座した人の耳に拡大して伝える非電気式の拡聴具を設けている。
【００１３】
請求項２の発明は、請求項１を椅子として具体化したもので、この椅子は、
前記拡聴具は、着座した人の頭を左右両側と後ろからぐるりと囲う壁部と、着座した人の頭の上側に位置したアッパ部とを有しており、前記拡聴具を、背もたれ又はヘッドレスト若しくはハンガーに取り付けている。
【００１４】
請求項２の具体例として、請求項３では、前記壁部の左右内側面に吸音材を配置している。更に、請求項３の具体例として請求項４では、前記アッパ部は、左右に分離していて前記壁部の左右側部の上端から庇状に張り出している。
【００１５】
請求項２〜４は椅子に具体化したが、例えば、間仕切りのような他の家具に拡聴具を設けることも可能である。また、椅子に適用する場合、拡聴具は、ヘッドレストやハンガーのようなオプション品に取り付けることも可能である。或いは、背支柱や傾動フレームのような背もたれ取り付け部材に設けることもできる。云うまでもないが、拡聴具自体はオプション品とすることができる。
【００１６】
請求項５は、椅子に着座した人の声を当該着座した人の耳に拡大して伝える非電気式の拡聴具を対象にしており、この拡聴具は、着座した人の声を反射させて当該着座した人の耳に伝える壁部と、前記椅子の背もたれに直接に又は他の部材を介して取り付く取り付け部とを有している。
【発明の効果】
【００１７】
本願発明では、声が小さい人や引っ込み思案の人、或いは、沈黙主義の人でも、自ら発した声が拡聴具によって自身の声より大きく聞こえることにより、会話・議論に積極的に参加するように、自分自身を無意識に方向付けすることができる。つまり、発言したいという潜在的意識が自分自身の声で刺激されて、ミーティングに会議に望む気持ちをアクティブ化することができると云える。
【００１８】
従って、例えば、議長等から発言を促されて声を出すというようなことをきっかけとして、意見やアイデアを積極的に発言する状況を作り出すことが可能になる。その結果、ミーティングや会議での議論を活発化・深化させて、高い知的成果に結びつけることが可能になる。
【００１９】
そして、拡聴具は椅子等の家具に設けているため、身体に装着する場合のような煩わしさはなくて、使い勝手がよい。また、身体への装着を嫌う人にとっても使用しやすいし、同席者が違和感を持つことも、防止又は大きく低減できる。このように、本人と同席者との両方にとって使用に対するハードルが低いため、実用性を高くすることができる。
【００２０】
拡聴具は様々な形態を採用できるが、椅子に設けると、使用者と椅子とはほぼ一体になっていて、使用者の頭は拡聴具との相対位置は殆ど変化しないため（身体への追従性が高いため）、使用者の声を拡聴具に的確に伝えて拡聴機能を高めることができる。
【００２１】
特に、請求項２のように、使用者の頭を壁部とアッパ部とで囲うタイプを採用すると、拡聴具の内部に回り込んだ声を拡聴具の内面で反射させて大きくすることができるため、拡聴機能（増幅機能）を確実化することができる。本願発明者たちが実験したところ、声が自由に拡散する場合に比べて大きく聞こえることができた。また、小さい音の雑音・騒音（暗騒音）を拡聴具でカットできるため、自らの声が明確になる。このように、自らの声が明確（ハッキリと）かつ大きく聞こえるため、発言意欲の刺激効果は一層高くなると云える。
【００２２】
さて、ミーティングにしても会議にしても、周囲には雑多な音が存在していることが多い。すなわち、上記で触れたように、ミーティングなどは、小さい音の雑音・騒音（暗騒音）の環境下で行っていることが多い。そして、これらの暗騒音が耳に入り過ぎると、集中力が低下して発言意欲を低下させてしまいやすい。これに対して本願請求項３のように、壁部の左右内側面に吸音材を設けると、暗騒音を吸音材でカット又は減衰させることにより、集中力の低下を防止できる。従って、拡聴具の機能をより強く発揮させることができる。
【００２３】
アッパ部は、着座した人の頭の上方の空間を全体的に覆うことも可能であるが、この場合は、見た目が悪くなったり、着座・離席に際してアッパ部が邪魔になったりするおそれがある。この点、請求項４のように、アッパ部を左右に分離して壁部の上端から内向きに張り出した庇状に形成すると、見た目の悪化を防止又は抑制できると共に、着座・離席するに際して邪魔になることも防止できる。
【図面の簡単な説明】
【００２４】
【図１】第１実施形態を前から見た斜視図である。
【図２】第１実施形態を後ろから見た斜視図である。
【図３】第１実施形態の正面図である。
【図４】第１実施形態の側面図である。
【図５】（Ａ）は第１実施形態の平面図、（Ｂ）は作用の説明図である。
【図６】第２〜第７実施形態を示す図である。
【図７】第８〜第１０実施形態を示す図である。
【図８】第１１実施形態の平面図である。
【図９】第１２実施形態の平面図である。
【発明を実施するための形態】
【００２５】
(1).第１実施形態の構造
次に、本願発明の実施形態を図面に基づいて説明する。以下の実施形態は椅子に適用した例であり、まず、図１〜図５に示す第１実施形態を説明する。なお、以下では方向を特定するため，前後・左右の問題を使用するが、これは、椅子に普通に腰掛けた人の向きを基準にしている。正面視は、着座した人と対向した方向から見た状態である。
【００２６】
本実施形態の椅子は、オフィスで多用されているキャスタ付き回転椅子であり、座１及び背もたれ２を備えている。背もたれ２は、弾性に抗してロッキングする。背もたれ２は、前後に開口した背フレーム３にメッシュ材４を張った構造であるが、樹脂製等の背板（インナーシェル）にクッション材を張ったタイプなど、各種の構造に適用できる。
【００２７】
背もたれ２には、着座した人Ｍの声を自身の耳に拡大して伝えるための拡聴具５を取り付けている。拡聴具５は、着座した人Ｍの頭Ｈを左右と後ろと上から囲う形態であり、左右のサイド部６と、これらを繋ぐリア部７と、サイド部６の上端から内向きに張り出したアッパ部８とを有している。従って、アッパ部８は左右に分離している。サイド部６とリア部７とにより、着座した人Ｍの頭Ｈを左右と後ろからぐるりと囲う壁部が構成されている。
【００２８】
サイド部６の略後半部は、その上端が後ろに行くに従って低くなるようにカットされており（傾斜しており）、このため、リア部７の上下幅はサイド部６の上下幅よりも小さくなっている。サイド部６の上面が側面視で屈曲していることに伴って、アッパ部８も側面視で屈曲している（従って、アッパ部８の後半部は傾斜している。）。
【００２９】
サイド部６とリア部７とアッパ部８とは、例えば、樹脂成形品として一体に製造できるし、複数枚の樹脂板を接合して構成することもできる。或いは、金属板を材料として、板金加工によって製造することもできる。音の反射特性は金属板が優れているが、合成樹脂製の場合は、厚さを任意に設定できる利点や、軽量である利点、全体又は一部を透明化できる利点などがある。
【００３０】
サイド部６とアッパ部８とは正面視で直交し、また、サイド部６とリア部７とは平面視で直交している。但し、リア部７を平面視で前向き凹状に（平面視Ｕ字形）に形成するこことも可能であり、この場合は、サイド部６とリア部７とは滑らかに連続して境界は不明確になる。同様に、サイド部６とアッパ部８との連接部を逆Ｊ字形に滑らかに連続させることも可能であり、この場合も、サイド部６とアッパ部８との境界は不明確になる。左右のアッパ部８は、正面視でハ字を成すように傾斜させることも可能である。
【００３１】
左右サイド部６の内面には、グラスウールなどの多孔質材（連続気孔材）からなる吸音材９を貼り付けている。吸音材９は、例えば５０ｍｍ程度の厚さであり、サイド部６の略前半部に配置しているが、サイド部６の全体に貼り付けてもよい。アッパ部８は、吸音材９よりも内側に張り出している。図３から理解できるように、アッパ部８は、着座した人Ｍの頭Ｈよりも上に位置するように設定しており、また、頭Ｈとサイド部６との間には、人に圧迫感を与えない程度の間隔が空くように設定している。
【００３２】
拡聴具５の全体の左右横幅は、椅子の横幅（座１の横幅）と同じ程度から僅かに小さい寸法に設定している。従って、拡聴具５が大きく見え過ぎることを防止できる。拡聴具５の下端は、着座した人Ｍの頭Ｈの下端よりも下方で、着座した人Ｍの肩よりは上になるように設定している。リア部７の背面には、取り付け部の一例としての支柱１０が固定されており、支柱１０は、背フレーム３の上端部にブラケット１１を介して高さ調節可能に固定されている。
【００３３】
なお、拡聴具５は、その全体を透明板製とすることが可能である。或いは、サイド部６は有色として（吸音材９が張られているので）、アッパ部８とリア部７とのうちいずれか一方又は両方を透明板製とすることが可能である。このように、全体又は一部を透明に形成すると、目立つことを抑制して不自然さをなくすか又は大幅に抑制できる。
【００３４】
(2).第１実施形態の作用
図５（Ｂ）に模式的に示すように、着座した人Ｍが口を開いて発声すると（話しをすると）、声（音）は空気の振動として（音波として）四方に広がっていく。音の強さは距離と共に低下していき、また、着座した人Ｍの前方には強く伝わって、後ろには弱く伝わる。いずれにしても、音は減衰しながら後ろにも伝わるので、着座した人Ｍの耳Ｅには自分の声が入る。
【００３５】
そして、本実施形態では、拡聴具５が存在するため、後ろに回り込んだ声（音）が拡聴具５の内部に進入すると、サイド部６やアッパ部８の反射作用により、着座した人Ｍの耳Ｅに、増幅されて入射する。すなわち、何もない場合に比べて、人には、自分の声が大きく聞こえる。図５（Ｂ）では、サイド部６からの反射やアッパ部８からの反射を矢印で表示しているが、実際には、着座した人Ｍの耳Ｅには複合した反射音が入射する。
【００３６】
また、拡聴具５は、自己の声を反射させることのみでなく、外からの声や音を遮断する役割も果たしている。図５（Ｂ）の点線は外からの音（暗騒音）を模式的に示しているが、小さな音の雑音・騒音が遮断される（或いは抑制される）ことにより、聴覚が自己の声に鋭敏になって、自分の声がクリアー（明確）に聞こえる。つまり、拡聴具５の外からの音が遮断されることにより、耳Ｅに、拡聴具５の内部からの音だけを取り込むような指向性ができるのである。
【００３７】
例えば、人は、聞き取りにくい声を聴こうとする場合、手の平を窪ませて耳の後ろに当てるが、これは、目的とする声（音）だけが耳に入るように指向性を持たせているのであり、このことから、拡聴具５が持つ雑音・騒音遮断効果と、自己音声の拡聴効果とを容易に推測できる。
【００３８】
このように、自分の声が明確かつ大きく聴こえることにより、あまり発言しないような人であっても、自らの声で発言意欲が刺激されて、次の話しをすること（声を出すこと）の心理的ハードルが著しく低くなって、議論に積極的に参加しやすくなると云える。従って、ミーティング等をリードする人が各人に発言のきっかけを作るように仕向けることにより、参加者が持っているアイデアや意見を積極的に引き出すことができる。その結果、ミーティング等において議論が活発化・深化して、高い知的成果を得ることが可能になる。
【００３９】
さて、人は、過度に静寂な環境下では、却って落ち着きがなくなって集中力が低下することがある。さりとて、音が大きくて耳障りに感じると、これまた集中力が低下してしまう。従って、気にならないレベルの暗騒音や音楽などがあると、思考に集中しやすいといえる。この点、本実施形態のように吸音材９を設けると、周囲の環境で発生している騒音を気にならないレベルまで低下させて、思考に集中しやすい環境を形成することに貢献できると云える。
【００４０】
このように吸音材９を設けることに代えて、又は、吸音材９を設けることに加えて、スピーカを拡聴具５に設けて、音の環境を積極的に作り出すことも可能である。例えば、作業音楽と呼ばれているクラシック音楽や、使用者の好みの音楽などを低い音で耳に入れることにより、思考に集中できる環境を形成できるといえる。
【００４１】
スピーカを吸音材９と併用する場合、吸音材のうち、耳の横になる箇所にスピーカを嵌め込む（或いは埋め込む）ことにより、不要な雑音は極力カットして快適に感じる音楽などが集中的に耳に入るように構成することができる。或いは、サイド部６の内面に吸音材９を配置して、リア部７にスピーカを配置するといったことも可能である。
【００４２】
(3).他の実施形態
次に、他の実施形態を説明する。図６では、第１実施形態と同様に角張った形態の拡聴具５の別例を示している。このうち図６（Ａ）に示す第２実施形態では、拡聴具５は、矩形のサイド部６とアッパ部８とリア部７とにより、前方と下方とに開口した形態に形成されている。サイド部６には吸音材９を貼ることができる（他の実施形態も同様である。）。図示していないが、拡聴具には、椅子の背もたれに取り付けるため、支柱等の取り付け部を設けている。
【００４３】
図６（Ｂ）に示す第３実施形態は、第２実施形態の変形例であり、アッパ部８を左右に分離した庇状に形成している。第２実施形態及び第３実施形態とも、第１実施形態で触れたように、全体又は一部を透明に形成することが可能である（この点は、他の実施形態も同様である。）。
【００４４】
図６（Ｃ）に示す第４実施形態では、拡聴具５の壁部は、サイド部６とリア部７とそれらの間に位置した傾斜部１３とで構成されている。図６（Ｄ）に示す第５実施形態は、第４実施形態のアッパ部８を左右に分離した形態である。壁部の全体を平面視Ｕ字状や半円状などに形成することも可能である。
【００４５】
図６（Ｅ）に示す第６実施形態では、拡聴具５の壁部は第４実施形態と同じようにサイド部６と傾斜部１３とリア部７とからなる形態として、アッパ部８とリア反射部７とが傾斜した連接部１４で繋がっている。連接部１４はアッパ部８の一部とみることもできるし、リア部７の一部と見ることもできる。図６（Ｆ）に示す第７実施形態は、第６実施形態の変形例であり、アッパ部８と連接部１４は左右に分離している。
【００４６】
図７に示す第８〜１０実施形態は、拡聴具５は、アッパ部８は備えずに壁部だけで構成されており、かつ、平面視と側面視とで丸みを帯びている。このうち（Ａ）に示す第８実施形態では、着座した人の耳の横に位置するあたりの部分の上下幅が最も大きくなるように、サイド部６の上面は側面視で山形になっている。
【００４７】
図７（Ｂ）の第９実施形態では、サイド部６は前端に向けて上下幅が僅かに小さくなっている。また、先端部は側面視で丸みを帯びている。図７（Ｃ）の第１０実施形態では、壁部はその全体に亙ってほぼ等しい上下幅になっており、後ろから手前に向けて僅かの角度で低くなっている。
【００４８】
図８に示す第１１実施形態では、拡聴具５は左右に分離しており、それぞれ背もたれ２の左右側部に取り付けられている。また、拡聴具５は壁部のみで構成されており、平面視で着座した人Ｍの頭Ｈに向けて凹となるように湾曲している。なお、拡聴具５は背もたれ２の上端よりも高い位置に配置されるので、拡聴具５には、図示は省略しているが、足部や支柱のような取り付け部を設けている。支柱や足部は、拡聴具５とは別体であってもよいし、一体に形成されていてもよい。
【００４９】
この実施形態では、着座した人Ｍの声を拡聴具５に向けて反射させる反射補助具（集音具）１５が使用される。反射補助具１５は、着座した人の胸や腹の箇所に配置したり、机の天板１６に配置されたりしており、着座した人Ｍの手前に配置されていて、着座した人Ｍの頭Ｈに向けて凹となるような凹面を有している。この例では、着座した人Ｍの声は反射補助具１５で反射して左右の拡聴具５に入射し、反射音が着座した人Ｍの耳Ｅに入る。拡聴具５は左右に分離せずに一体に連続させてもよい。この点は、他の実施形態も同様である。
【００５０】
図９に示す第１２実施形態では、拡聴具５を左右に分離させて、それぞれヘッドレスト１７の左右端部に取り付けている（背もたれ２に取り付けてもよい。）。拡聴具５は、着座した人Ｍの頭Ｈを概ね左右から囲うように、平面視と正面視で湾曲した立体形状になっている。
【００５１】
以上、本願発明の実施形態を説明したが、本願発明は、他にも様々に具体化できる。例えば、拡聴具は間仕切りのような他の家具に設けることも可能である。例えば、間仕切を平面視半円状やＵ形に形成して、間仕切の全体を拡聴具に構成することが可能である。もちろん、図示したような形態の拡聴具を間仕切に取り付けることも可能である。椅子に適用する場合、ロッキング式の回転椅子である必要はない。
【産業上の利用可能性】
【００５２】
本願発明は、実際に椅子等に具体化できる。従って、産業上利用できる。
【符号の説明】
【００５３】
２  背もたれ
３  背フレーム
５  拡聴具
６  壁部を構成するサイド部
７  壁部を構成するリア部
８  アッパ部
９  吸音材
１０  支柱
【図１】
2018094179.tif 000003
【図２】
2018094179.tif 000004
【図３】
2018094179.tif 000005
【図４】
2018094179.tif 000006
【図５】
2018094179.tif 000007
【図６】
2018094179.tif 000008
【図７】
2018094179.tif 000009
【図８】
2018094179.tif 000010
【図９】
2018094179.tif 000011